(57)【要約】【課題】落下用固体の脱落を確実に防止することのできるポンプ付き容器を提案する。【解決手段】中皿30に、上方へ向けて膨出するとともに弾性変形可能な上げ底部35を設け、上げ底部35の下方には、上げ底部35の下面との間で落下用固体40を挟持するとともに、内容物の噴出に伴う中皿30の上昇にてポンプ50の下端面55との圧接により上げ底部35を下方へ弾性変形させて落下用固体40を落下させる支持部材36を設ける。【選択図】図１
2014166866.tif 000002
【特許請求の範囲】
【請求項１】
容器本体の口部に装着されるポンプと、該ポンプに繋がりその押下げ及び復帰の繰り返しにより当該ポンプを動作させて内容物を噴出するノズルヘッドと、前記容器本体の胴部内側に摺動可能に配置され内容物の噴出に伴って生じる負圧により内容物を押し上げつつ上昇する中皿とを備えるポンプ付き容器であって、
前記中皿は、上方へ向けて膨出するとともに弾性変形可能な上げ底部を有し、
前記上げ底部の下方には、該上げ底部の下面との間で落下用固体を挟持するとともに、内容物の噴出に伴う前記中皿の上昇にて前記ポンプの下端面との圧接により前記上げ底部を下方へ弾性変形させて前記落下用固体を落下させる支持部材が設けられていることを特徴とするポンプ付き容器。
【請求項２】
前記支持部材は、前記上げ底部の下面周縁部に外周縁部が固着され、前記上げ底部の下方への弾性変形時に破断可能なフイルム若しくは網、又は前記上げ底部の下方への弾性変形時に伸長可能な中央に貫通孔を有するフイルム若しくは網である、請求項１に記載のポンプ付き容器。
【請求項３】
前記支持部材は、前記上げ底部の下面周縁部に連結する複数本の腕板であり、これら腕板の少なくとも１組は、内方へ折り曲げることによって互いに係合し、前記上げ底部の下方への弾性変形時には当該係合が解除される形状をなしている、請求項１に記載のポンプ付き容器。
【請求項４】
前記１組の腕板のうち１本は、他の腕板の先端部を挿入可能な開口部を有する、請求項３に記載のポンプ付き容器。
【請求項５】
前記落下用固体は球体であり、
前記上げ底部の頂部下面には、前記球体を位置決めする凹部が設けられている、請求項１〜４のいずれか一項に記載のポンプ付き容器。
【請求項６】
前記容器本体の底部から立設され、前記中皿が上昇を開始する前の状態において、前記上げ底部の下面周縁部を上端周縁部にて支持する内筒部を有する、請求項１〜５のいずれか一項に記載のポンプ付き容器。
【請求項７】
前記上げ底部の頂部上面には、該頂部上面が前記ポンプの下端面に当接した際に前記ポンプの吸引を可能とする溝部が設けられている、請求項１〜６のいずれか一項に記載のポンプ付き容器。
【発明の詳細な説明】
【技術分野】
【０００１】
本発明は、ポンプ動作により容器本体の内容物を噴出させるにあたり発生する負圧を解消すべく、当該容器本体の胴部内側に、かかる負圧により内容物を押し上げつつ上昇する中皿を備えたポンプ付き容器に関し、特に、内容物の残量を確認するため中皿に落下用固体を設ける場合に懸念される、落下用固体の脱落を防止しようとするものである。
【背景技術】
【０００２】
従来、この種のポンプ付き容器として、例えば特許文献１に記載されるようなものが知られている。特許文献１では、容器本体の胴部を不透明にすることにより内容物の残量が確認できない問題を解消すべく、中皿の下面に落下用固体を取り外し可能に設け、この落下用固体を中皿が上限に達した際に容器本体の底部に落下させ、その状態で容器を振ると、落下用固体が容器本体内面に衝突して音を発生し、内容物が無くなったことを確認できるようにしている。
【０００３】
具体的には、中皿は、上方へ向けて膨出するとともに弾性変形可能な上げ底部を有し、この上げ底部の下面から垂下する数本の板で落下用固体を挟持している。そして、中皿が上限に達してポンプ下端面との圧接により上げ底部が下方へ弾性変形すると、これらの板が拡開して落下用固体を落下させるようにしている。
【先行技術文献】
【特許文献】
【０００４】
【特許文献１】特開２００２−３２０８８６号公報
【発明の概要】
【発明が解決しようとする課題】
【０００５】
しかしながら、特許文献１に記載されるポンプ付き容器では、上げ底部の下面から垂下する数本の板で落下用固体を挟持するようにしているため、上げ底部がポンプ下端面に達する前でも、容器に衝撃が加わると、落下用固体がこれらの板の間から脱落してしまうおそれがあった。
【０００６】
本発明は、このような従来の問題点を解決するために開発されたもので、落下用固体の脱落を確実に防止することのできるポンプ付き容器を提案することを目的とする。
【課題を解決するための手段】
【０００７】
すなわち、本発明の要旨構成は以下のとおりである。
１．容器本体の口部に装着されるポンプと、該ポンプに繋がりその押下げ及び復帰の繰り返しにより当該ポンプを動作させて内容物を噴出するノズルヘッドと、前記容器本体の胴部内側に摺動可能に配置され内容物の噴出に伴って生じる負圧により内容物を押し上げつつ上昇する中皿とを備えるポンプ付き容器であって、
前記中皿は、上方へ向けて膨出するとともに弾性変形可能な上げ底部を有し、
前記上げ底部の下方には、該上げ底部の下面との間で落下用固体を挟持するとともに、内容物の噴出に伴う前記中皿の上昇にて前記ポンプの下端面との圧接により前記上げ底部を下方へ弾性変形させて前記落下用固体を落下させる支持部材が設けられていることを特徴とするポンプ付き容器。
【０００８】
２．前記支持部材は、前記上げ底部の下面周縁部に外周縁部が固着され、前記上げ底部の下方への弾性変形時に破断可能なフイルム若しくは網、又は前記上げ底部の下方への弾性変形時に伸長可能な中央に貫通孔を有するフイルム若しくは網である、前記１のポンプ付き容器。
【０００９】
３．前記支持部材は、前記上げ底部の下面周縁部に連結する複数本の腕板であり、これら腕板の少なくとも１組は、内方へ折り曲げることによって互いに係合し、前記上げ底部の下方への弾性変形時には当該係合が解除される形状をなしている、前記１のポンプ付き容器。
【００１０】
４．前記１組の腕板のうち１本は、他の腕板の先端部を挿入可能な開口部を有する、前記３のポンプ付き容器。
【００１１】
５．前記落下用固体は球体であり、
前記上げ底部の頂部下面には、前記球体を位置決めする凹部が設けられている、前記１〜４のいずれかのポンプ付き容器。
【００１２】
６．前記容器本体の底部から立設され、前記中皿が上昇を開始する前の状態において、前記上げ底部の下面周縁部を上端周縁部にて支持する内筒部を有する、前記１〜５のいずれかのポンプ付き容器。
【００１３】
７．前記上げ底部の頂部上面には、該頂部上面が前記ポンプの下端面に当接した際に前記ポンプの吸引を可能とする溝部が設けられている、前記１〜６のいずれかのポンプ付き容器。
【発明の効果】
【００１４】
本発明によれば、内容物の噴出に伴う中皿の上昇によって上げ底部がポンプの下端面に圧接して下方へ弾性変形するまでは、落下用固体を上げ底部の下面と支持部材とで挟持することができるので、上げ底部がポンプ下端面に達する前に落下用固体が脱落することを確実に防止することができる。
【図面の簡単な説明】
【００１５】
【図１】本発明の一実施形態に係るポンプ付き容器の使用前の状態を示す側方一部断面図である。
【図２】図１に示す中皿をボールを取り付けた状態で示す底面図である。
【図３】図１に示すポンプ付き容器の使用後の状態を示す側方一部断面図である。
【図４】本発明の他の実施形態に係るポンプ付き容器の使用前の状態を示す側方一部断面図である。
【図５】図４に示す中皿の腕板折り曲げ前後の状態を示す側方一部断面図である。
【図６】図４に示す中皿をボールを取り付けた状態で示す底面図である。
【図７】図４に示すポンプ付き容器の使用後の状態を示す側方一部断面図である。
【図８】図４に示す中皿の変形例をボールを取り付けた状態で示す底面図である。
【発明を実施するための形態】
【００１６】
以下、図１〜３を参照して、本発明の一実施形態に係るポンプ付き容器について詳細に例示説明する。
図１に示すように、本例のポンプ付き容器１は、容器本体２０と、中皿３０と、ボール４０（落下用固体）と、ポンプ５０と、ノズルヘッド６０と、からなる。容器本体２０は、筒状の口部２１が肩部２２を介して筒状の胴部２３に一体に繋がっており、胴部２３の下端部には、底蓋部２４が別体に取り付けられて、容器本体２０の底部を形成している。底蓋部２４の底壁部２５の外周縁部には、胴部２３の下端部外周面と嵌合する嵌合筒部２６が立設されている。また、底壁部２５の嵌合筒部２６の内側には、容器本体２０の軸線Ｏと同心の内筒部２７が立設されている。底壁部２５における内筒部２７と嵌合筒部２６の間の部分には、外気導入孔２８が設けられている。
【００１７】
中皿３０は、容器本体２０の胴部２３の内側に摺動可能に配置されている。具体的には、中皿３０は、容器本体２０の胴部２３の内面に嵌合させた筒部３１を有し、筒部３１の上下両端部には先端部をやや大外径とした弾性シール筒３２が突設されている。また、筒部３１の上端部からは内向きフランジ部３３を介して内筒３４が垂下されている。そして、内筒３４の下端周縁部には、上方へ向けて膨出するとともに弾性変形可能な上げ底部３５が連設されている。上げ底部３５は、本例では、ドーム形状をなしている。
【００１８】
上げ底部３５の下方には、フイルムシール３６（支持部材）が設けられている。具体的には、図１及び図２に示すように、フイルムシール３６の外周縁部３６ａが上げ底部３５の下面周縁部３５ａに、例えば熱接着などによって、固着されている。上げ底部３５の下面とフイルムシール３６の上面との間の空間内には、ボール４０が収納されており、ボール４０は、上げ底部３５の下面とフイルムシール３６の上面とで挟持されている。フイルムシール３６の外周縁部３６ａは、底蓋部２４の内筒部２７の上端縁部に当接している。すなわち、底蓋部２４の内筒部２７の上端周縁部にて、上げ底部３５の下面周縁部３５ａが支持されている。
【００１９】
また、上げ底部３５の頂部下面には、図１に示したように、ボール４０を位置決めする凹部３５ｂが形成されている。上げ底部３５の頂部上面３５ｃには、例えば放射状に延びる溝部３５ｄが形成されている。
【００２０】
容器本体２０の口部２１には、装着筒５１を介してポンプ５０が装着されている。装着筒５１の内側には、ポンプ５０のシリンダ５２が容器本体２０の上部内へ垂下されている。シリンダ５２内からは、作動部材５３が起立するとともに上方付勢され、作動部材５３の上下動により容器本体内の内容物（図示省略）がシリンダ５２内に吸い上げられるようになっている。作動部材５３の上端部にはノズルヘッド６０が嵌合され、そのノズル６１から内容物を噴出できるようになっている。なお、５４はポンプの圧縮比を高めるためにシリンダ５２内に装着されたポペット状の吸い込み弁体である。
【００２１】
かかる構成によれば、図１に示したように、ボール４０を、上げ底部３５の下面とフイルムシール３６の上面とで挟持し、ボール４０を確実に保持することができる。また、上げ底部３５の頂部下面に形成された位置決め用の凹部３５ｂにより、ボール４０を安定して保持することができる。
【００２２】
また、容器使用前、すなわち、中皿３０が上昇を開始する前の状態では、底蓋部２４の内筒部２７の上端周縁部にて上げ底部３５の下面周縁部３５ａを支持することにより、フイルムシール３６の内側領域が他部材に接触することを防止することができ、したがって、製品の流通時などにフイルムシール３６が破断するおそれを確実に回避することができる。
【００２３】
また、ノズルヘッド６０の押し下げ及び復帰の繰り返しによりポンプ５０の作動部材５３を上下動させると、ノズルヘッド６０のノズル６１から内容物が噴出し、この内容物の噴出に伴って生じる負圧により、中皿３０は内容物を押し上げつつ上昇する。そして、図３に示すように、内容物が残り僅かとなり、内容物の噴出に伴う中皿３０の上昇によって、中皿３０の上げ底部３５の頂部上面３５ｃがポンプ５０の下端面５５に当接した際には、底部３５の頂部上面３５ｃに形成された溝部３５ｄを介してポンプ５０のさらなる吸引を可能とすることができる。
【００２４】
さらに内容物を噴出させて、この内容物の噴出に伴う中皿３０の上昇によって、中皿３０の上げ底部３５の頂部上面３５ｃがポンプ５０の下端面５５に圧接すると、上げ底部３５が弾性変形して下方に反転し、上げ底部３５の下面に押されたボール４０によってフイルムシール３６が押されて破断し、ボール４０を落下させることができる。ボール４０が落下すると、容器本体２０の底部内面に衝突して音が発生するため、この音を聞くことで、内容物が無くなったことを確認することができる。また、この音を聞き逃したとしても、容器を振ると音がして、内容物が無くなったことを確認することができる。
【００２５】
なお、本例ではフイルムシール３６を用いる場合について説明したが、フイルムシール３６の代わりに同一の外径を有する網（図示省略）を用いることも可能である。また、フイルムシール３６は、上げ底部３５の下方への弾性変形時に破断するものとして説明したが、これに代えて、例えば、フイルムシール３６を、中央にボール４０の直径よりもやや小さい直径の貫通孔を有する伸縮自在のフイルム又は網とし、上げ底部３５の下方への弾性変形時に前記貫通孔を伸長させてボール４０を落下させるようにすることも可能である。
【００２６】
次に、図４〜７を参照して、本発明の他の実施形態に係るポンプ付き容器について詳細に例示説明する。図４は、本例のポンプ付き容器の使用前の状態を示す側方一部断面図である。図５は、図４に示す中皿の腕板折り曲げ前後の状態を示す側方一部断面図である。図６は、図４に示す中皿をボールを取り付けた状態で示す底面図である。図７は、図４に示すポンプ付き容器の使用後の状態を示す側方一部断面図である。
【００２７】
本例に係るポンプ付き容器１’は、支持部材として、図１に示したフイルムシール３６の代わりに、図４〜６に示すような複数本の腕板３７を用いたこと以外は、図１〜３を用いて前述した例と同一の構成になっている。
【００２８】
具体的には、上げ底部３５の下面周縁部３５ａに、本例では等間隔に４本配置された腕板３７を連結している。各腕板３７は、例えば、樹脂の射出成形によって中皿３０と一体に形成される。各腕板３７は、成形時には図５に実線で示したように、上げ底部３５の下面周縁部３５ａから垂下しているが、これら腕板３７を内側に折り曲げ、図５の破線で示したように互いに係合させることによって、上げ底部３５の下面とこれら腕板３７とでボール４０を挟持することができる。
【００２９】
具体的には、各腕板３７の先端部３７ａは、図５の実線で示したように、基端部３７ｂの幅よりやや大きい直径の略円形状をなしており、その中心から、腕板３７の短手方向にスリット３７ｃが形成されている。これら腕板３７は互いに、中皿３０の軸線Ｏの周りに対称な形状をなしている。したがって、これら腕板３７を内側に折り曲げると、図６に示したように、各腕板３７のスリット３７ｃに、隣接する腕板３７の先端部３７ａが挿入され、これら腕板３７が互いに係合されるのである。
【００３０】
また、容器使用前、すなわち、中皿３０が上昇を開始する前の状態では、図４に示したように、各腕板３７の基端部３７ｂ及び上げ底部３５の下面周縁部３５ａは、底蓋部２４の内筒部２７の上端縁部に当接している。すなわち、底蓋部２４の内筒部２７の上端周縁部にて、上げ底部３５の下面周縁部３５ａが支持されている。
【００３１】
かかる構成によれば、図４に示したように、ボール４０を、上げ底部３５の下面と腕板３７の上面とで挟持することにより、ボール４０を確実に保持することができる。また、上げ底部３５の頂部下面に形成された位置決め用の凹部３５ｂにより、ボール４０を安定して保持することができる。また、容器使用前、すなわち、中皿３０が上昇を開始する前の状態でも、各腕板３７の先端側部分が他部材と接触することがなく、ボール４０の脱落を確実に防止することができる。
【００３２】
内容物が残り僅かとなり、図７に示すように、中皿３０の上げ底部３５の頂部上面３５ｃがポンプ５０の下端面５５に当接した際には、底部３５の頂部上面３５ｃに形成された溝部３５ｄを介してポンプ５０のさらなる吸引を可能とすることができる。さらに、中皿３０の上げ底部３５の頂部上面３５ｃがポンプ５０の下端面５５に圧接すると、上げ底部３５が弾性変形して下方に反転し、上げ底部３５の下面に押されたボール４０によって各腕板３７が押されて係合が解除され、ボール４０を落下させることができる。
【００３３】
なお、本例では、図６に示したように、各腕板３７がそれぞれ他の腕板３７と係合する場合について説明したが、これら腕板３７の少なくとも１組を互いに係合させ、残りの腕板３７はこれらの係合した腕板３７とボール４０との間に挿入できるように、これら腕板３７の形状を変更することもできる。また、複数本の腕板３７は、互いに係合できる形状になっていれば良く、必ずしもスリットを設ける必要はない。また、スリットに代えて、例えば、図８に示すように、開口部３８を設けることもできる。すなわち、折り曲げ時に最も下に位置させる１組の腕板３７のうち１本の腕板３７に開口部３８を形成し、前記１組の腕板３７の残りの腕板３７をこの開口部３８に挿入して係合させ、その他の腕板３７はこれらの係合した腕板３７とボール４０との間に挿入するようにしても良い。
【００３４】
上述したところは、本発明の一実施形態を示したにすぎず、特許請求の範囲において、種々の変更を加えることができる。例えば、落下用固体としてボールを用いるものとして説明したが、必ずしもこのような球体とする必要はなく、例えば、円柱体や立方体などとしても良い。また、中皿は、内向きフランジ部や内筒を有するものとして説明したが、これらは必ずしも必要ではなく、例えば、筒部から直接、上げ底部を連設するようにしても良い。さらに、上げ底部はドーム形状をなすものとして説明したが、上方へ向けて膨出する形状であれば良く、必ずしもドーム形状に限定されない。
【符号の説明】
【００３５】
１，１’  ポンプ付き容器
２０  容器本体
２１  口部
２２  肩部
２３  胴部
２４  底蓋部
２５  底壁部
２６  嵌合筒部
２７  内筒部
２８  外気導入孔
３０  中皿
３１  筒部
３２  弾性シール筒
３３  内向きフランジ部
３４  内筒
３５  上げ底部
３５ａ  下面周縁部
３５ｂ  凹部
３５ｃ  頂部上面
３５ｄ  溝部
３６  フイルムシール（支持部材、フイルム）
３７  腕板（支持部材）
３７ａ  先端部
３７ｂ  基端部
３７ｃ  スリット
３８  開口部
４０  ボール４０（落下用固体）
５０  ポンプ
５１  装着筒
５２  シリンダ
５３  作動部材
５４  吸い込み弁体
５５  下端面
６０  ノズルヘッド
６１  ノズル
【図１】
2014166866.tif 000003
【図２】
2014166866.tif 000004
【図３】
2014166866.tif 000005
【図４】
2014166866.tif 000006
【図５】
2014166866.tif 000007
【図６】
2014166866.tif 000008
【図７】
2014166866.tif 000009
【図８】
2014166866.tif 000010